(57)【要約】【課題】車室内に吹き出すべき空調空気の風量、あるいは冷却水温によるドアの変形に起因して発生する騒音・振動を防止すること。【解決手段】ブロワレベルが、０〜１０の範囲内であるときにはステップＳ１９０、１１〜２０の範囲内であるときにはステップＳ２００、２１〜３０の範囲内であるときにはステップＳ２１０に進む。ステップＳ１９０では、ステップＳ１６０で決定された微小開度位置Ｙ又は半開位置Ｘを実際の開度位置として決定する。ステップＳ２００では、微小開度位置Ｙ又は半開位置Ｘから全開位置Ｗ側に所定開度幅α（第１の開度幅α）開いた補正後の開度位置を実際の開度位置として決定する。ステップＳ２１０では、微小開度位置Ｙ又は半開位置Ｘから全開位置Ｗ側に所定開度幅β（第２の開度幅β）（第２の開度幅β＞第１の開度幅α）開いた補正後の開度位置を実際の開度位置として決定する。【選択図】図６
2008037140.tif 000002
【特許請求の範囲】
【請求項１】
空調ケース内で温度調整された空調空気を、車室内のそれぞれ異なる領域に吹き出す複数種類の吹出口と、
前記空調ケース内に設けられ、前記複数種類の吹出口をそれぞれ開閉する複数種類のドア部と、
前記空調ケース内に空気を送風する送風手段と、
前記送風手段を制御する際に用いる風量パラメータを決定するパラメータ決定手段と、
前記複数種類の吹出口から吹き出す空調空気の風量割合（吹出モード）を決定する吹出モード決定手段と、
前記吹出モード決定手段が決定した前記吹出モードに応じて、前記複数種類のドア部の開度位置を決定する開度位置決定手段とを備え、
前記開度位置決定手段は、前記パラメータ決定手段にて決定された前記風量パラメータに基づいて前記複数種類のドア部のうち少なくともいずれかの前記開度位置を補正することを特徴とする車両用空調装置。
【請求項２】
空調ケース内で温度調整された空調空気を、車室内のそれぞれ異なる領域に吹き出す複数種類の吹出口と、
前記空調ケース内に設けられ、前記複数種類の吹出口をそれぞれ開閉する複数種類のドア部と、
エンジン冷却水により前記空調ケース内の前記空調空気を加熱する加熱用熱交換器と、
前記エンジン冷却水の温度（冷却水温）を検出する温度検出手段と、
前記複数種類の吹出口から吹き出す空調空気の風量割合（吹出モード）を決定する吹出モード決定手段と、
前記吹出モード決定手段が決定した前記吹出モードに応じて、前記複数種類のドア部の開度位置を決定する開度位置決定手段とを備え、
前記開度位置決定手段は、前記温度検出手段にて検出された前記冷却水温に基づいて前記複数種類のドア部のうち少なくともいずれかの前記開度位置を補正することを特徴とする車両用空調装置。
【請求項３】
空調ケース内で温度調整された空調空気を、車室内のそれぞれ異なる領域に吹き出す複数種類の吹出口と、
前記空調ケース内に設けられ、前記複数種類の吹出口をそれぞれ開閉する複数種類のドア部と、
前記空調ケース内に空気を送風する送風手段と、
前記送風手段を制御する際に用いる風量パラメータを決定するパラメータ決定手段と、
エンジン冷却水により前記空調ケース内の前記空調空気を加熱する加熱用熱交換器と、
前記エンジン冷却水の温度（冷却水温度）を検出する温度検出手段と、
前記複数種類の吹出口から吹き出す空調空気の風量割合（吹出モード）を決定する吹出モード決定手段と、
前記吹出モード決定手段が決定した前記吹出モードに基づいて前記複数種類のドア部の開度位置を決定する開度位置決定手段とを備え、
前記開度位置決定手段は、前記パラメータ決定手段にて決定された前記風量パラメータ及び前記温度検出手段にて検出された前記冷却水温に基づいて前記複数種類のドア部のうち少なくともいずれかの前記開度位置を補正することを特徴とする車両用空調装置。
【請求項４】
前記送風手段は、ブロワモータを備える構成とされており、
前記風量パラメータは、前記ブロワモータに供給すべき駆動信号に対応するブロワレベルであることを特徴とする請求項１または請求項３に記載の車両用空調装置。
【請求項５】
前記風量パラメータは、前記駆動信号として前記ブロワモータに供給される印加電圧であることを特徴とする請求項４に記載の車両用空調装置。
【請求項６】
前記ブロワモータはパルス駆動方式のものであり、
前記風量パラメータは、前記駆動信号として前記ブロワモータに供給される駆動パルスのデューティ比であることを特徴とする請求項４に記載の車両用空調装置。
【請求項７】
前記開度位置決定手段は、前記風量パラメータが増大したときには、その増大量に応じて前記開度位置を開方向に補正する一方、前記風量パラメータが減少したときには、その減少量に応じて前記開度位置を閉方向に補正することを特徴とする請求項１、３、４、５、６のいずれかに記載の車両用空調装置。
【請求項８】
前記開度位置決定手段は、前記冷却水温が上昇したときには、その上昇幅に応じて前記開度位置を開方向に補正する一方、前記冷却水温が下降したときには、その下降幅に応じて前記開度位置を閉方向に補正することを特徴とする請求項２または請求項３に記載の車両用空調装置。
【請求項９】
前記開度位置決定手段は、前記開度位置が微小開度位置に決定されているドア部の開度位置を補正することを特徴とする請求項１から請求項８のいずれかに記載の車両用空調装置。
【請求項１０】
前記開度位置の補正を行うドア部は、前記複数種類の吹出口のうち、乗員の上半身が存在し得る領域に前記空調空気を吹き出すフェイス吹出口を開閉するフェイスドアであることを特徴とする請求項１から請求項９のいずれかに記載の車両用空調装置。
【請求項１１】
前記ドア部は、中心軸を中心に回動するスイングドアであり、
前記中心軸に軸支された歯部に、動力伝達歯車が噛合されており、
前記動力伝達歯車を介して前記歯部に回動力を付与する構成であることを特徴とする請求項１から請求項１０のいずれかに記載の車両用空調装置。
【発明の詳細な説明】
【技術分野】
【０００１】
本発明は、吹出し口に設けられたドアの開度位置を、車室内に吹き出すべき風量あるいは加熱用熱交換器の冷却水温に応じて補正するようにした車両用空調装置に関する。
【背景技術】
【０００２】
この種の車両用空調装置として、例えば特許文献１に記載されているものが知られている。これは、目標とする空調制御状態に基づいて各吹出し口から選択的に空調空気を吹き出す構成である。これにより、たとえば暖房制御を実行するときには、フット吹出し口から集中的に温風を吹き出すようにしたり、冷房制御を実行するときには、フェイス吹出し口から冷風を集中的に吹き出すようにして、乗員に対して快適感を提供しようとするものである。ここで、吹出し口から空調空気を吹き出すか否かの選択は、吹出し口を開閉するドアにより行う。
【特許文献１】特開２００３−５４２４４号公報
【発明の開示】
【発明が解決しようとする課題】
【０００３】
ところで、一部の吹出し口から集中的に空調空気を吹き出すようにした場合、乗員には体の一部にしか空調空気が当たらないため、各身体部位の間で温度差が生じることとなり、乗員が違和感を訴えることがある。
【０００４】
このような不都合を解消するために、全身空調という思想がある。これは、各身体部位に当たる空調空気のばらつきを小さくして乗員の空調感覚を向上させようとするものである。このような思想に基づいて空調空気を吹き出す吹出し口を選択した場合、主に空調空気を吹き出す吹出し口と、補助的に空調空気を吹き出す吹出し口とに分類し、主に空調空気を吹き出す吹出し口からは相当量の空調空気を吹き出すと共に、補助的に空調空気を吹き出す吹出し口からはごく少量の空調空気を吹き出すということが考えられる。そして、各吹出し口から吹き出す空調空気の風量割合は、各吹出し口を開閉するドアの開度により決定されるようになっている。
【０００５】
ここで、補助的に空調空気を吹き出す吹出し口を開閉するドアは、その開度位置が極めて小さい開度とされる。このため、例えば吹き出すべき空調空気の風量が多い場合には、ドアを通過する空調空気の流速が大となり、空調空気によってドアが撓み変形させられることがある。そうすると、ドアは撓み変形と復帰変形とを繰り返し、これに起因する騒音が発生するという問題が考えられる。また、流速増加によって、風切り音が発生することもある。あるいは、空調空気を過熱する加熱用熱交換器内のエンジン冷却水の温度が高い場合には、この加熱用熱交換器により加熱された空調空気がドアを膨張変形させることがあり、これによって上記と同様に振動・騒音が発生することがある。従って、これらのドア変形の要因に対処できる方法を検討する必要がある。
【０００６】
本発明は、上記事情に鑑みてなされたものであり、その目的は、車室内に吹き出すべき空調空気の風量、あるいは冷却水温によるドアの変形に起因して発生する騒音・振動を防止することができる車両用空調装置を提供することである。
【課題を解決するための手段】
【０００７】
上記目的を達成するために、請求項１の発明では、空調ケース内で温度調整された空調空気を、車室内のそれぞれ異なる領域に吹き出す複数種類の吹出口と、空調ケース内に設けられ、複数種類の吹出口をそれぞれ開閉する複数種類のドア部と、空調ケース内に空気を送風する送風手段と、送風手段を制御する際に用いる風量パラメータを決定するパラメータ決定手段と、複数種類の吹出口から吹き出す空調空気の風量割合（吹出モード）を決定する吹出モード決定手段と、吹出モード決定手段が決定した吹出モードに応じて、複数種類のドア部の開度位置を決定する開度位置決定手段とを備え、開度位置決定手段は、パラメータ決定手段にて決定された風量パラメータに基づいて複数種類のドア部のうち少なくともいずれかの開度位置を補正することを特徴としている。
【０００８】
請求項１の発明によれば、ドア部の開度位置を設定される空調空気の風量に応じて補正することで、吹出口から吹き出される空調空気の流れが、ドア部に対して撓み変形させるような影響を与えることを防止できる。これにより、ドア部が撓み変形と自己復帰とを繰り返すことに起因する振動、振動音の発生を防止できる。また、空調空気がドア部を介して吹出口から吹き出される際に風きり音が発生することを防止することができる。
【０００９】
請求項２の発明では、空調ケース内で温度調整された空調空気を、車室内のそれぞれ異なる領域に吹き出す複数種類の吹出口と、空調ケース内に設けられ、複数種類の吹出口をそれぞれ開閉する複数種類のドア部と、エンジン冷却水により空調ケース内の空調空気を加熱する加熱用熱交換器と、エンジン冷却水の温度（冷却水温）を検出する温度検出手段と、複数種類の吹出口から吹き出す空調空気の風量割合（吹出モード）を決定する吹出モード決定手段と、吹出モード決定手段が決定した吹出モードに応じて、複数種類のドア部の開度位置を決定する開度位置決定手段とを備え、開度位置決定手段は、温度検出手段にて検出された冷却水温に基づいて複数種類のドア部のうち少なくともいずれかの開度位置を補正することを特徴としている。
【００１０】
請求項２の発明によれば、ドア部の開度位置を冷却水温に応じて補正することで、空調空気によって加熱されることによるドア部の変形を考慮した開度位置に設定できるため、吹出口から吹き出される空調空気がドア部に対して影響を与えることを防止できる。このため、ドア部が撓み変形と自己復帰とを繰り返すことに起因する振動、振動音の発生を防止できる。また、空調空気がドア部を介して吹出口から吹き出される際に風きり音が発生することを防止することができる。
【００１１】
請求項３の発明では、空調ケース内で温度調整された空調空気を、車室内のそれぞれ異なる領域に吹き出す複数種類の吹出口と、空調ケース内に設けられ、複数種類の吹出口をそれぞれ開閉する複数種類のドア部と、空調ケース内に空気を送風する送風手段と、送風手段を制御する際に用いる風量パラメータを決定するパラメータ決定手段と、エンジン冷却水により空調ケース内の空調空気を加熱する加熱用熱交換器と、エンジン冷却水の温度（冷却水温度）を検出する温度検出手段と、複数種類の吹出口から吹き出す空調空気の風量割合（吹出モード）を決定する吹出モード決定手段と、吹出モード決定手段が決定した吹出モードに基づいて複数種類のドア部の開度位置を決定する開度位置決定手段とを備え、開度位置決定手段は、パラメータ決定手段にて決定された風量パラメータ及び温度検出手段にて検出された冷却水温に基づいて複数種類のドア部のうち少なくともいずれかの前記開度位置を補正することを特徴としている。
【００１２】
請求項３の発明によれば、風量と冷却水温とを考慮したして開度位置を補正することで、一層正確に開度位置を設定することができる。
【００１３】
請求項４の発明では、送風手段は、ブロワモータを備える構成とされており、風量パラメータは、ブロワモータに供給すべき駆動信号に対応するブロワレベルであることを特徴としている。また、請求項５の発明では、風量パラメータは、駆動信号としてブロワモータに供給される印加電圧であることを特徴としている。また、請求項６の発明では、ブロワモータはパルス駆動方式のものであり、風量パラメータは、駆動信号としてブロワモータに供給される駆動パルスのデューティ比であることを特徴としている。
【００１４】
風量パラメータとしては、上述した、ブロワレベル、印加電圧、駆動パルスのデューティ比が挙げられる。本発明では、そのいずれに基づいてもドア部の開度位置を補正することができる。
【００１５】
請求項７の発明では、開度位置決定手段は、風量パラメータが増大したときには、その増大量に応じて開度位置を開方向に補正する一方、風量パラメータが減少したときには、その減少量に応じて開度位置を閉方向に補正することを特徴としている。
【００１６】
請求項７の発明によれば、風量増大に伴うドア部への影響度合いの増加に応じて、その影響度合いを考慮した開度位置に設定することができる。また、風量減少に伴うドア部への影響度合いの減少に応じて、その影響を考慮しつつ適切な開度位置に設定することができる。
【００１７】
請求項８の発明では、開度位置決定手段は、冷却水温が上昇したときには、その上昇幅に応じて開度位置を開方向に補正する一方、冷却水温が下降したときには、その下降幅に応じて前記開度位置を閉方向に補正することを特徴としている。
【００１８】
請求項８の発明によれば、冷却水温上昇に伴うドア部への影響度合いの増加に応じて、その影響度合いを考慮した開度位置に設定することができる。また、冷却水温低下に伴うドア部への影響度合いの減少に応じて、その影響を考慮しつつ適切な開度位置に設定することができる。
【００１９】
請求項９の発明では、開度位置決定手段は、開度位置が微小開度位置に決定されているドア部の開度位置を補正することを特徴としている。
【００２０】
ここで、微小開度位置とは、吹出口から吹き出す空調空気の風量を、全開位置に設定したときに吹き出される空調空気の風量よりも少量としたときに設定される開度位置であって、吹出口へ流れる空調空気によって影響を受け得る開度位置のことである。
【００２１】
従って、ドア部の開度位置が微小開度位置とされているときには、空調空気が流れにくくなるため、ドア部が空調空気の流れに影響を受け易くなり、この結果、ドア部が振動したり、風きり音が発生しやすくなる。これに対して、請求項９の発明では、微小開度位置とされているドア部の開度位置を補正するようにしているため、ドア部の振動や風きり音の発生を効果的に防止できる。
【００２２】
請求項１０の発明では、開度位置の補正を行うドア部は、複数種類の吹出口のうち、乗員の上半身が存在し得る領域に空調空気を吹き出すフェイス吹出口を開閉するフェイスドアであることを特徴としている。
【００２３】
請求項１０の発明によれば、発生した騒音や風きり音が乗員に対して最も感知させ易いフェイスドアを制御することで、騒音や風きり音に対する乗員の不快感を効果的に抑止することができる。
【００２４】
請求項１１の発明では、ドア部は、中心軸を中心に回動するスイングドアであり、中心軸に軸支された歯部に、動力伝達歯車が噛合されており、動力伝達歯車を介して歯部に回動力を付与する構成であることを特徴としている。
【００２５】
請求項１１の発明によれば、ドア部の開度位置を高精度に設定することができるため、開度位置の補正も精度良く行うことができる。
【発明を実施するための最良の形態】
【００２６】
＜第１の実施形態＞
本発明に係る車両用空調装置の一実施形態について図１ないし図１０を参照して説明する。本実施形態の車両用空調装置は、フェイスドア２２が微小開度位置に設定されているときに、その開度をブロワレベル（風量）に応じて補正するようにしたものである。
【００２７】
図１に車両用空調装置の正面図、図２に図１におけるＡ方向矢視図を示す。図面左側は、温度調整した空気（空調空気）を吹き出すための空調ユニット１００であり、右側は、空調ユニット１００内に空気を送風するブロワユニット２００である。このうち、空調ユニット１００は、ブロワユニット２００により送風された空気を内部に導入し、温度調整した空気（空調空気）を各吹出口１９，２１，２３から車室内に吹き出すものである。各吹出口１９，２１，２３は、それぞれ図示する位置に配置されており、設定された空調制御状態に応じて選択的に空調空気が吹き出されるようになっている。
【００２８】
各吹出口１９，２１，２３のうち、デフロスタ吹出口１９は、フロントウィンドウガラスに空調空気を吹き出すものである。また、フェイス吹出口２１は、乗員の上半身側に口調空気を吹き出すものであり、フット吹出口２３は、乗員の足元に空調空気を吹き出すものである。
【００２９】
ブロワユニット２００は、空調ユニット１００内に空気を送風する遠心式送風ファン１５と、この送風ファン１５を回転駆動するためのブロワモータ１４とを備えており、ブロワモータ１４に印加する印加電圧を調整することで、送風ファン１５の回転数を調整し、空調ユニット１００内に送風する空気の風量を制御するようになっている。
【００３０】
図３に本実施形態の全体構成を示す。ブロワユニット２００には、外気導入口１１ａと内気導入口１１ｂを有する内外気切替箱１１が配置され、この内外気切替箱１１内に内外気切替ドア１２が回動自在に設置されている。
【００３１】
この内外気切替ドア１２は外気導入口１１ａと内気導入口１１ｂとの分岐点に配置され、アクチュエータ１２ａにより駆動されて、空調ユニット１００に導入する空気を内気もしくは外気に切り替え、あるいは内気と外気の混合割合を調整する。内外気切替箱１１の空気流れ下流側には内外気切替箱１１内に空気を吸い込んで空調ユニット１００に送風する送風ファン１５が配置されており、この送風ファン１５をブロワモータ１４で回転駆動する。
【００３２】
空調ユニット１００の外観を構成する空調ケース１００Ａ内において、空気流れ最上流側には、冷却用熱交換器であるエバポレータ１６が配置されており、図示しない車両エンジンにより駆動されるコンプレッサ等と結合されて冷凍サイクルを構成し、その内部の低圧冷媒が空気から吸熱して蒸発することにより空気を冷却する。また、エバポレータ１６よりも空気流れ下流側には、加熱用熱交換器であるヒータコア１７が配置されており、図示しない車両エンジンの冷却水（温水）が内部を循環し、このエンジン冷却水を熱源として空気を加熱する。
【００３３】
ヒータコア１７の上流側には、吹出空気温度を調整するためのエアミックスドア１８が配置されている。このエアミックスドア１８は、フィルムドアタイプのものであり、アクチュエータ１８ａによりフィルムの開口位置が調節される。これによって、ヒータコア１７を通過する空気とヒータコア１７をバイパスする空気の割合とが調整され、車室内に吹き出す空気の温度が調整される。
【００３４】
空調ケース１００Ａの最下流には、デフロスタ（ＤＥＦ）吹出口１９を開閉するデフロスタドア２０（ドア部）、フェイス（ＦＡＣＥ）吹出口２１を開閉するフェイスドア２２（ドア部）、およびフット（ＦＯＯＴ）吹出口２３を開閉するフットドア２４（ドア部）が設けられている。
【００３５】
これら各ドア２０、２２、２４は設定される吹出モード（フェイスモード、バイレベルモード、フットモード、デフロスタモード等）に基づいて、アクチュエータ２５により駆動されて各吹出口１９、２１、２３を開閉する。そして、各吹出モードに応じて開口した吹出口から、空調空気が車室内へ吹き出される。
【００３６】
ここで、フェイスモード時は、フェイス吹出口２１を全開し、デフロスタ吹出口１９およびフット吹出口２３を閉塞して、フェイス吹出口２１のみから空調空気を車室内の乗員上半身側へ吹き出す。
【００３７】
バイレベルモード時は、フェイス吹出口２１およびフット吹出口２３を半開し、デフロスタ吹出口１９を閉塞して、フェイス吹出口２１およびフット吹出口２３の両方から乗員上半身側および乗員足元側へ空調空気を略同量ずつ吹き出す。
【００３８】
フットモード時は、フェイス吹出口２１を微開するとともに、フット吹出口２３を全開し、デフロスタ吹出口１９を閉塞する。これにより、フット吹出口２３から主に空調空気を乗員足元側へ吹き出すと同時に、フェイス吹出口１９から少量の空調空気を車室内の乗員上半身側へ吹き出す。
【００３９】
デフロスタモード時は、フェイス吹出口２１およびフット吹出口２３を閉塞し、デフロスタ吹出口１９を全開して、デフロスタ吹出口１９のみから空調空気を窓ガラス内面側へ吹き出す。
【００４０】
図４は、空調ユニット１００の断面図（図1におけるＢ−Ｂ線断面図）である。上述したエバポレータ１６、ヒータコア１７及びエアミックスドア１８が、空調ケース１００Ａ内に図示するように配置されており、エバポレータ１６を通過した冷風が矢印Ｃに沿って流れるとともに、ヒータコア１７を通過した温風が矢印Ｄに沿って流れ、これら冷風と温風とが混合されてフェイス吹出口２１から空調空気として吹き出されるようになっている。
【００４１】
また、フェイスドア２２の奥方には、デフロスタ吹出口１９及びフット吹出口２３に空調空気を導くための導入口２６が設けられている。また、ヒータコア１７の空気流れ下流側には、マックスクールドア２７が配置されており、ヒータコア１７からの暖気を遮断する機能を有している。
【００４２】
ここで、フェイスドア２２の開度位置は、各吹出モードに基づいて決定されるようになっている。まず、フェイスモード時におけるフェイスドア２２の開度位置は、全開位置Ｗ（図示（Ｗ）の位置）とされており、フェイス吹出口２１は全開となる。バイレベルモード時は、半開位置Ｘ（図示（Ｘ）の位置）とされており、フェイス吹出口２１は半開となる。フットモード時は、微小開度位置Ｙ（図示（Ｙ）の位置）とされており、フェイス吹出口２１は微開となる。また、デフロスタモード時は、閉位置Ｚ（図示（Ｚ）の位置）とされており、フェイス吹出口２１は閉塞される。
【００４３】
ここで、微小開度位置Ｙとは、フェイス吹出口２１から吹き出す空調空気の風量を、全開位置Ｗに設定したときに吹き出される空調空気の風量よりも少量としたときに設定される開度位置であって、フェイス吹出口２１へ流れる空調空気によって影響を受け得る開度位置である。具体的には、フェイスドア２２と空調ケース１００Ａとの隙間Ｓが２０ｍｍ程度となる開度位置のことである。
【００４４】
また、上記の微小開度位置Ｙの定義に照らし合わせると、本実施形態においては、バイレベルモード時に設定される半開位置Ｘについてもその定義に含まれる、即ち、半開位置Ｘにおいても空調空気の影響を受け得るのである。そして、本実施形態において、フェイスドア２２がフェイス吹出口２１へ流れる空調空気の影響を受け得る開度位置は、具体的には、隙間Ｓの寸法が、フェイスドア２２の幅寸法（図４において紙面直交方向の寸法）に対して、２０％以下となる開度位置のことをいい、この開度位置として、半開位置Ｘ及び微小開度位置Ｙが含まれる。
【００４５】
ところで、フェイスドア２２は、スイングドアにより構成されており、図５に示すように、回動軸に扇状の歯部２２Ａが軸支されている。この歯部２２Ａは、アクチュエータ（不図示）に直付けされた出力歯車１１０（動力伝達歯車）と噛合されている。従って、アクチュエータが出力歯車１１０を回転させることで、その回転が歯部２２Ａに伝達されるとともに、フェイスドア２２が回動軸を中心として回動する。従って、フェイスドア２２は、アクチュエータの動作によって上述の開度位置Ｗ〜Ｚの範囲で回動可能となる。尚、図示はしないが、デフロスタドア２０、及びフットドア２４についても上記と同様の構成である。
【００４６】
空調制御装置３０は制御手段としてのマイクロコンピュータ３１を有し、送風量はマイクロコンピュータ３１からの出力信号に基づいて駆動回路３２を介してブロワモータ１４の印加電圧を調整してモータ回転数を調整することにより制御される。なお、その他のアクチュエータ１２ａ、１８ａ、２５も、マイクロコンピュータ３１からの出力信号に基づいて駆動回路３２にて制御される。
【００４７】
マイクロコンピュータ３１（パラメータ決定手段、吹出しモード決定手段、開度位置決定手段）は図示しない中央演算処理装置（ＣＰＵ）、ＲＯＭ、ＲＡＭ、Ｉ／Ｏポート、及びＡ／Ｄ変換部等を持ち、それ自体は周知のものである。
【００４８】
マイクロコンピュータ３１には、車室内計器盤に設置された空調操作部３３から操作信号が入力される。この空調操作部３３には、空調装置の自動制御状態を設定するオートスイッチ３４、内外気吸込モードを手動で切替設定するための内外気切替スイッチ３５、吹出モードを手動で切替設定するための吹出モード切替スイッチ３６、ファン１５の送風量を手動で切替設定するための送風量切替スイッチ３７、乗員の好みの車室内温度（設定温度）を設定するための温度設定スイッチ３８等が設けられている。
【００４９】
また、マイクロコンピュータ３１には、車室内の空調状態に影響を及ぼす環境条件を検出する各種センサからの信号が入力される。
【００５０】
具体的には、車室内の空気温度（内気温度）ＴＲを検出する内気温検出手段としての内気温センサ３９、車室外の空気温度（外気温度）ＴＡＭを検出する外気温検出手段としての外気温センサ４０、車室内に入射する日射量ＴＳを検出する日射量検出手段としての日射センサ４１、蒸発器温度（具体的には蒸発器吹出空気温度）ＴＥを検出する蒸発器温度検出手段としての蒸発器温度センサ４２、ヒータコア１７を循環するエンジン水温ＴＷを検出する水温検出手段としての水温センサ４３（温度検出手段）等からの各信号が、それぞれのレベル変換回路４４を介してマイクロコンピュータ３１に入力され、これらはマイクロコンピュータ３１においてＡ／Ｄ変換されて読み込まれる。また、温度設定スイッチ３８からの設定信号もレベル変換回路４４を介してマイクロコンピュータ３１に入力される。
【００５１】
本実施形態の構成は以上であり、続いてその動作について説明する。図６は、マイクロコンピュータ３１により実行される概略制御動作を示すフローチャートであり、ＩＧオンとともにこの図６の制御をスタートする。
【００５２】
まず、ステップＳ１００では空調操作部３３の各種スイッチ３４〜３８の操作信号及び各種センサ３９〜４３からのセンサ検出信号（環境条件信号）を読み込む。
【００５３】
次のステップＳ１１０では、ステップＳ１１０で読み込んだ環境条件信号、およびマイクロコンピュータ３１に記憶されている制御用設定温度等に基づいて、車室内に吹き出す空気の必要吹出温度を算出する。
【００５４】
次に、ステップＳ１２０に進んで、車室内に吹き出す空調空気を所定の風量とするためのブロワレベル（ブロワモータ１４に印加可能な印加電圧範囲において、各印加電圧に対応するデジタル値のことであり、０〜３０の値をとる）を決定する。そして、ステップＳ１３０に進み、必要吹出温度に対するエアミックスドア１８の開度を算出する。
【００５５】
そして、ステップＳ１４０に進み、内外気切替ドア１２による内外気吸込モードを必要吹出温度に基づいて決定する。次に、ステップＳ１５０にて必要吹出温度に基づいて吹出モードを決定する。
【００５６】
そして、ステップＳ１６０では、ステップＳ１５０で決定した吹出モードに基づいてデフロスタドア２０、フェイスドア２２、及びフットドア２４の開度位置をそれぞれ決定する。
【００５７】
ステップＳ１７０では、ステップＳ１６０で決定されたフェイスドア２２の開度位置が微小開度位置Ｙ又は半開位置Ｘであるか否かを判断する。上述したように、吹出モードに応じて各ドア２０，２２，２４の開度位置が決定されるようになっているため、ステップＳ１５０で決定した吹出モードにより、フェイスドア２２が微小開度位置Ｙ又は半開位置Ｘに決定されているか否かを判断できる。図７の対応表に示すように、フェイスドア２２が微小開度位置Ｙ又は半開位置Ｘとされる吹出モードが決められており、この対応表によると、吹出モードがフットモードとされているときにフェイスドア２２が微小開度位置Ｙとなり、バイレベルモードとされているときにフェイスドア２２が半開位置Ｘとなることが判る。従って、当該処理では、決定された吹出モードがフットモードであるときには、フェイスドア２２が微小開度位置Ｙに決定されていると判断するとともに、バイレベルモードであるときには、フェイスドア２２が半開位置Ｘに決定されていると判断し、他の吹出モードであるときには、フェイスドア２２は微小開度位置Ｙ又は半開位置Ｘに設定されていないと判断する。
【００５８】
ステップＳ１７０で肯定判定された場合には、次に、ステップＳ１８０に進み、ステップＳ１３０で決定されたブロワレベルがいくつであるかを判断する。ここで、ブロワレベルが、０〜１０の範囲内であるときにはステップＳ１９０、１１〜２０の範囲内であるときにはステップＳ２００、２１〜３０の範囲内であるときにはステップＳ２１０に進む。
【００５９】
ステップＳ１９０では、ステップＳ１６０で決定された微小開度位置Ｙ又は半開位置Ｘを実際の開度位置として決定する。
【００６０】
ステップＳ２００では、上述の微小開度位置Ｙ又は半開位置Ｘを補正量Ｃαに基づいて補正し、微小開度位置Ｙ又は半開位置Ｘから全開位置Ｗ側に所定開度幅α（第１の開度幅α）開いた補正後の開度位置をフェイスドア２２の実際の開度位置として決定する。
【００６１】
ステップＳ２１０では、上述の微小開度位置Ｙ又は半開位置Ｘを補正量Ｃβ（＞補正量Ｃα）に基づいて補正し、微小開度位置Ｙ又は半開位置Ｘから全開位置Ｗ側に所定開度幅β（第２の開度幅β）（第２の開度幅β＞第１の開度幅α）開いた補正後の開度位置をフェイスドア２２の実際の開度位置として決定する。従って、上記のステップＳ１９０〜Ｓ２１０の処理は、図８に示すような特性図に基づいて処理されるようになっている。
【００６２】
また、ステップＳ１７０で否定判定された場合、又はステップＳ１９０〜２１０の処理後はステップＳ２２０に進む。
【００６３】
最後に、ステップＳ２２０では、ステップＳ１２０〜Ｓ１４０で決定した各制御信号、Ｓ１６０、Ｓ１９０〜Ｓ２１０で決定した各ドアの開度位置に基づく制御信号を、駆動回路３２を介してブロワモータ２４、および各アクチュエータ１２ａ、１８ａ、２５に加えて、ブロワモータ２４の回転数および各アクチュエータ１２ａ、１８ａ、２５の作動を制御する。
【００６４】
以下、各吹出モードにおけるフェイスドア２２の開度位置補正について説明する。
【００６５】
「フェイスモード」
吹出モードがフェイスモードに決定されているときには、フェイスドア２２は、全開位置Ｗに設定されるため（ステップＳ１７０でＮｏ）、実際に設定される開度位置は全開位置Ｗとなる（ステップＳ２２０）。
【００６６】
「デフロスタモード」
吹出モードがデフロスタモードに決定されているときには、フェイスドア２２は、閉位置Ｚに設定されるため（ステップＳ１７０でＮｏ）、実際に設定される開度位置は閉位置Ｚとなる（ステップＳ２２０）。
【００６７】
「フットモード」
吹出モードがフットモードに決定されているときには、フェイスドア２２は、微小開度位置Ｙに設定される（ステップＳ１７０でＹｅｓ）。従って、決定されているブロワレベルに応じて開度位置が補正されることとなる。
【００６８】
ブロワレベルが０〜１０の範囲に設定されているときには、フェイスドア２２と空調ケース１００Ａとの隙間Ｓを通過する空調空気は、比較的スムーズに流れるため、当該フェイスドア２２の開度位置補正を行うことなく、当初決定した微小開度位置Ｙを実際の開度位置として決定する（ステップＳ１９０）。これにより、フェイスドア２２の開度位置は微小開度位置Ｙに設定される。
【００６９】
また、ブロワレベルが１１〜２０の範囲に設定されているときには、隙間Ｓを通過する空調空気の流速が増大することにより、フェイスドア２２が空調空気の影響を受け易くなる。即ち、空調空気によってフェイスドア２２が閉位置Ｚ側に撓み変形し易くなり、この空調空気による撓み変形と自己復帰とを繰り返すことでフェイスドア２２が振動し、その結果、振動音が発生することとなる。また、空調空気の流速が増大することにより、隙間Ｓを通過する空調空気によって風きり音が発生することもある。
【００７０】
従って、ブロワレベルが上記の１１〜２０の範囲にあるときには、微小開度位置Ｙを補正量Ｃαに基づいて補正し、当該微小開度位置Ｙから第１の開度幅αだけ全開位置Ｗ側に開いた開度位置をフェイスドア２２の実際の開度位置として決定する（ステップＳ２００）。
【００７１】
これにより、フェイスドア２２の開度位置は、図９に示すように、微小開度位置Ｙよりも第１の開度幅αだけ全開位置Ｗ側に開いた第１の補正微小開度位置Ｙ１（Ｙ＋α）に設定されることとなる。尚、図９においては、第１の補正微小開度位置Ｙ１を一点鎖線で示したフェイスドア２２の上面位置により表している。
【００７２】
また、ブロワレベルが２１〜３０の範囲に設定されているときには、フェイスドア２２に対する空調空気の影響が一層大きくなることから、微小開度位置Ｙを補正量Ｃβに基づいて補正し、微小開度位置Ｙから全開位置Ｗ側に所定開度幅β開いた補正後の開度位置をフェイスドア２２の実際の開度位置として決定する（ステップＳ２１０）。これにより、フェイスドア２２の開度位置は、図９に示すように、微小開度位置Ｙよりも第２の開度幅βだけ全開位置Ｗ側に開いた第２の補正微小開度位置Ｙ２（Ｙ＋β）に設定されることとなる。尚、図９においては、第２の補正微小開度位置Ｙ２を破線で示したフェイスドア２２の上面位置により表している。この第２の補正微小開度位置Ｙ２は、図示したように、前述の第１の補正微小開度位置Ｙ１よりもさらに全開位置Ｗ側に開いている。
【００７３】
「バイレベルモード」
吹出モードがバイレベルモードに決定されているときには、フェイスドア２２は、半開位置Ｘに設定される（ステップＳ１７０でＹｅｓ）。従って、決定されているブロワレベルに応じて開度位置が補正されることとなる。
【００７４】
ブロワレベルが０〜１０の範囲に設定されているときには、フェイスドア２２と空調ケース１００Ａとの隙間Ｓを通過する空調空気は、比較的スムーズに流れるため、当該フェイスドア２２の開度位置補正を行うことなく、当初決定した半開位置Ｘを実際の開度位置として決定する（ステップＳ１９０）。これにより、フェイスドア２２の開度位置は半開位置Ｘに設定される。
【００７５】
また、ブロワレベルが１１〜２０の範囲に設定されているときには、フットモード時と同様にフェイスドア２２が空調空気の影響を受け易くなる。従って、ブロワレベルが上記の１１〜２０の範囲にあるときには、半開位置Ｘを補正量Ｃαに基づいて補正し、当該半開位置Ｘから第１の開度幅αだけ全開位置Ｗ側に開いた開度位置をフェイスドア２２の実際の開度位置として決定する（ステップＳ２００）。
【００７６】
これにより、フェイスドア２２の開度位置は、図１０に示すように、半開位置Ｘよりも第１の開度幅αだけ全開位置Ｗ側に開いた第１の補正半開位置Ｘ１（Ｘ＋α）に設定されることとなる。
【００７７】
また、ブロワレベルが２１〜３０の範囲に設定されているときには、フェイスドア２２に対する空調空気の影響が一層大きくなることから、半開位置Ｘを補正量Ｃβに基づいて補正し、半開位置Ｘから全開位置Ｗ側に所定開度幅β開いた補正後の開度位置をフェイスドア２２の実際の開度位置として決定する（ステップＳ２１０）。これにより、フェイスドア２２の開度位置は、図１０に示すように、半開位置Ｘよりも第２の開度幅βだけ全開位置Ｗ側に開いた第２の補正半開位置Ｘ２（Ｘ＋β）に設定されることとなる。尚、第２の補正半開位置Ｘ２は、図示したように、前述の第１の補正半開位置Ｘ１よりもさらに全開位置Ｗ側に開いている。
【００７８】
本実施形態によれば、フェイスドア２２の開度位置を、設定されるブロワレベルに応じて補正しているため、フェイス吹出口２１から吹き出される空調空気によってフェイスドアドア２２が撓み変形し、これに起因する騒音・振動の発生を防止できる。また、空調空気がフェイスドア２２と空調ケース１００Ａとの隙間Ｓを通るときに、風きり音が発生することを防止することもできる。
【００７９】
また、ブロワレベルが増大したときには、フェイスドア２２の開度位置を開方向に補正することで、風量増大による空調空気のドア部への影響を効果的に防止することができる。
【００８０】
また、フェイスドア２２の開度位置補正の対象となる開度位置を、空調空気の流れの影響を受け易い微小開度位置Ｙ及び半開位置Ｘとしているため、空調空気のフェイスドア２２に対する影響を効果的に防止することができる。
【００８１】
また、発生した騒音や風きり音が乗員に対して最も感知させ易いフェイスドア２２を制御することで、騒音や風きり音に対する乗員の不快感を効果的に抑止することができる。
【００８２】
また、アクチュエータで発生した回動力を、出力歯車１１０を介して各ドア２０，２２，２４の回動軸に軸支された歯部２２Ａに伝達する構成としているため、各ドア２０，２２，２４の開度位置を高精度に設定することができる。
【００８３】
＜第２実施形態＞
本発明に係る第２の実施形態について図１１又は図１２を参照して説明する。本実施形態は、ヒータコア１７の冷却水温ＴＷに基づいてフェイスドア２２の開度位置を補正するものである。本実施形態では、図６において、破線で囲まれた各ステップでの処理内容が相違しており、その内容を図１０に示す。
【００８４】
ステップＳ１８０Ａでは、ステップＳ１００で入力した水温センサ４３（温度検出手段）からの信号に基づく冷却水温ＴＷが、いくつであるかを判断する。ここで、冷却水温ＴＷが、例えば４０℃以下であるときにはステップＳ１９０Ａ、４０〜６０℃の範囲内であるときにはステップＳ２００Ａ、６０℃以上であるときにはステップＳ２１０Ａに進む。
【００８５】
ステップＳ１９０Ａでは、ステップＳ１６０で決定された微小開度位置Ｙを実際の開度位置として決定する。
【００８６】
また、ステップＳ２００Ａでは、上述の微小開度位置Ｙ又は半開位置Ｘを補正量Ｃαに基づいて補正し、微小開度位置Ｙ又は半開位置Ｘから全開位置Ｗ側に所定開度幅α（第１の開度幅α）開いた開度位置を実際の開度位置として決定する。
【００８７】
また、ステップＳ２１０Ａでは、上述の微小開度位置Ｙ又は半開位置Ｘを補正量Ｃβ（＞補正量Ｃα）に基づいて補正し、微小開度位置Ｙから全開位置Ｗ側に所定開度幅β（第２の開度幅β）（第２の開度幅β＞第１の開度幅α）開いた開度位置を実際の開度位置として決定する。従って、上記のステップＳ１９０Ａ〜Ｓ２１０Ａの処理は、図１２に示すような特性図に基づいて処理されるようになっている。
【００８８】
以下、フットモード及びバイレベルモードにおけるフェイスドア２２の開度位置補正について説明する。
【００８９】
「フットモード」
冷却水温ＴＷが４０℃以下とされているときには、ヒータコア１７を通過した暖気によってフェイスドア２２が熱膨張による変形を起こすことがないため、当該フェイスドア２２の開度位置補正を行うことなく、当初決定した微小開度位置Ｙを実際の開度位置として決定する（ステップＳ１９０Ａ）。これにより、フェイスドアの開度位置は微小開度位置Ｙに設定される。
【００９０】
また、冷却水温ＴＷが４０〜６０℃の範囲にあるときには、ヒータコア１７を通過した暖気によってフェイスドア２２が変形することとなる。このとき、フェイスドア２２のうち、空調ケース１００Ａ側の側面が暖気によって熱せられる一方、フェイス吹出口２１側の側面には暖気があたらないため、空調ケース１００Ａ側の側面が熱膨張することで、フェイスドア２２がフェイス吹出口２１側に反り返った形で変形する。そうすると、隙間Ｓが小さくなるため、第１実施形態と同様の問題が発生することとなる。
【００９１】
従って、冷却水温ＴＷが４０〜６０℃の範囲にあるときには、微小開度位置Ｙを補正量Ｃαに基づいて補正し、当該微小開度位置Ｙから第１の開度幅αだけ全開位置Ｗ側に開いた開度位置をフェイスドア２２の実際の開度位置として決定する（ステップＳ２００Ａ）。これにより、微小開度位置Ｙよりも第１の開度幅αだけ全開位置Ｗ側に開いた第１の補正微小開度位置Ｙ１（Ｙ＋α）に設定されることとなる。
【００９２】
また、冷却水温ＴＷが６０℃以上とされているときには、フェイスドア２２の変形量が一層大きくなることを考慮して、微小開度位置Ｙを補正量Ｃβに基づいて補正し、微小開度位置Ｙから全開位置Ｗ側に所定開度幅β開いた補正後の開度位置をフェイスドア２２の実際の開度位置として決定する（ステップＳ２１０）。これにより、フェイスドア２２の開度位置は、微小開度位置Ｙよりも第２の開度幅βだけ全開位置Ｗ側に開いた第２の補正微小開度位置Ｙ２（Ｙ＋β）に設定されることとなる。
【００９３】
「バイレベルモード」
冷却水温ＴＷが４０℃以下とされているときには、ヒータコア１７を通過した暖気によってフェイスドア２２が熱膨張による変形を起こすことがないため、当該フェイスドア２２の開度位置補正を行うことなく、当初決定した半開位置Ｘを実際の開度位置として決定する（ステップＳ１９０Ａ）。これにより、フェイスドアの開度位置は半開位置Ｘに設定される。
【００９４】
また、冷却水温ＴＷが４０〜６０℃の範囲にあるときには、上記と同様にヒータコア１７を通過した暖気によってフェイスドア２２が変形することがある。従って、このときには半開位置Ｘを補正量Ｃαに基づいて補正し、当該半開位置Ｘから第１の開度幅αだけ全開位置Ｗ側に開いた開度位置をフェイスドア２２の実際の開度位置として決定する（ステップＳ２００Ａ）。これにより、半開位置Ｙよりも第１の開度幅αだけ全開位置Ｗ側に開いた第１の補正半開位置Ｘ１（Ｘ＋α）に設定されることとなる。
【００９５】
また、冷却水温ＴＷが６０℃以上とされているときには、フェイスドア２２の変形量が一層大きくなることを考慮して、半開位置Ｘを補正量Ｃβに基づいて補正し、半開位置Ｘから全開位置Ｗ側に所定開度幅β開いた補正後の開度位置をフェイスドア２２の実際の開度位置として決定する（ステップＳ２１０Ａ）。これにより、フェイスドア２２の開度位置は、半開位置Ｘよりも第２の開度幅βだけ全開位置Ｗ側に開いた第２の補正半開位置Ｘ２（Ｘ＋β）に設定されることとなる。
【００９６】
本実施形態によれば、フェイスドア２２の開度位置を、検出された冷却水温ＴＷに応じて補正しているため、フェイス吹出口２２から吹き出される空調空気によってフェイスドアドア２２が熱膨張で変形し、これによって隙間Ｓが狭められることにより、空調空気の流れがフェイスドア２２に影響を及ぼすことを防止できる。また、空調空気が隙間Ｓを通るときに、風きり音が発生することを防止することができる。
【００９７】
また、冷却水温ＴＷが上昇したときには、フェイスドア２２の開度位置を開方向に補正することで、水温ＴＷの上昇による空調空気のフェイスドア２２への影響を効果的に防止することができる。
【００９８】
また、フェイスドア２２の開度位置補正の対象となる開度を、空調空気の流れの影響を受け易い微小開度位置Ｙ及び半開位置Ｘとしているため、空調空気のフェイスドア２２に対する影響を効果的に防止することができる。
【００９９】
＜第３の実施形態＞
本発明に係る第３の実施形態について説明する。本実施形態では、決定されたブロワレベル及び検出された冷却水温ＴＷに基づいてフェイスドア２２の開度位置を補正するものである。本実施形態は、ブロワレベルに応じて決定される補正量（Ｃα又はＣβ）と、冷却水温ＴＷに応じて決定される補正量（Ｃα又はＣβ）とに基づいて補正後の微小開度位置Ｙ又は半開位置Ｘを決定するのである。例えば、ブロワレベルに基づいて選択される補正量がＣαであり、冷却水温ＴＷに基づいて選択される補正量がＣαであるときには、双方に基づいて補正し、微小開度位置Ｙ（半開位置Ｘ）から全開位置Ｗ側に開度幅２α開いた補正後の微小開度位置（Ｙ＋２α）（半開位置（Ｘ＋２α））をフェイスドア２２の開度位置として決定する。
【０１００】
これによれば、ブロワレベルと冷却水温ＴＷとの双方を考慮して開度位置補正を行うことができるため、一層精度の高い補正を実行することができる。
【０１０１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【０１０２】
上記実施形態では、フェイスドア２２が微小開度位置Ｙ又は半開位置Ｘに設定されているときに、開度位置補正を行なうようにしていたが、開度位置補正の対象とする開度は、これらの開度位置に限らず、閉位置以外の開度位置であればどのような開度位置でも適用できる。
【０１０３】
また、上記実施形態では、空調空気の影響を受け得ることを考慮して半開位置Ｘも開度補正の対象としていたが、装置構成によっては、空調空気の影響を受けるおそれがないこともある。この場合には、半開位置Ｘの開度補正を省略するようにしても良い。
【０１０４】
また、上記実施形態では、開度位置補正の対象となるドアはフェイスドア２２であったが、他のドア２０，２４の開度位置を補正するものであっても良い。例えば、全身空調を目的とした場合、吹出モードがフェイスモードに設定されているときには、主にフェイス吹出口２１から空調空気を吹き出し、補助的にフット吹出口２３から空調空気を吹き出すことがある。この場合には、フット吹出口２３から吹き出される空調空気の風量は微量とされるため、フットドア２４の開度位置は微小開度位置となる。従って、この微小開度位置とされたフットドア２４を開度位置補正の対象とすることもできる。
【０１０５】
また、上記第１の実施形態では、アクチュエータで発生した回動力を出力歯車１１０でフェイスドア２２の歯部２２Ａに伝達する構成としていたが、例えば、リンク機構によってアクチュエータの回動力を各ドア２２に伝達する構成であっても良い。
【０１０６】
また、上記第１及び第３の実施形態では、ブロワレベルに基づいて補正量を決定するようにしていたが、例えば、ブロワ印加電圧に基づいて補正量を決定するようにしても良い。この場合、ブロワ印加電圧の上昇に伴って補正量を増大するようにすることができる。また、ブロワモータがパルス駆動方式のものである場合には、駆動パルスのデューティ比に基づいて補正量を決定するようにしてもよい。この場合、駆動パルスのデューティ比の増大に伴って補正料を増大するようにすることができる。
【０１０７】
また、第１及び第３の実施形態では、ブロワレベルが０〜１０の範囲を基準として、補正量α、βを決定していたが、例えばブロワレベルが１１〜２０の範囲を基準として補正量を決定するようにしても良い。例えば、ブロワレベルが０〜１０の範囲では決定した補正量で開度位置を閉方向に補正し、ブロワレベルが２１〜３０の範囲では決定した補正量で開度位置を開方向に補正するようにしても良い。
【０１０８】
また、第２及び第３の実施形態では、冷却水温ＴＷが４０℃以下を基準として、補正量を決定していたが、例えば冷却水温ＴＷが４０〜６０℃の範囲を基準として補正量を決定するようにしても良い。例えば、冷却水温ＴＷが４０℃以下では決定した補正量で開度位置を閉方向に補正し、冷却水温ＴＷが６０℃以上では決定した補正量で開度位置を開方向に補正するようにしても良い。
【図面の簡単な説明】
【０１０９】
【図１】第１の実施形態における車両用空調装置の外観正面図である。
【図２】図１におけるＡ方向矢視図である。
【図３】車両用空調装置の全体構成を示した概念図である。
【図４】図１におけるＢ−Ｂ線断面図である。
【図５】フェイスドアの回動機構を示した概略図である。
【図６】コントローラの制御内容を示したフローチャートである。
【図７】吹出モードと、微小開度位置となるドアとの関係を示した対応表である。
【図８】ブロワレベルに対応する補正開度を示した特性図である。
【図９】補正後の微小開度位置を示した空調ユニットの断面図である。
【図１０】補正後の半開位置を示した空調ユニットの断面図である。
【図１１】第２の実施形態においてコントローラの制御内容を示したフローチャートである。
【図１２】冷却水温に対応する補正開度を示した特性図である。
【符号の説明】
【０１１０】
１４…ブロワモータ
１５…送風ファン
１７…ヒータコア
１９…デフロスタ吹出口（吹出口）
２０…デフロスタドア（ドア部）
２１…フェイス吹出口（吹出口）
２２…フェイスドア（ドア部）
２２Ａ…歯部
２３…フット吹出口（吹出口）
２４…フットドア（ドア部）
３１…マイクロコンピュータ（パラメータ決定手段、吹出モード決定手段、開度位置決定手段）
４３…水温センサ
１００…空調ユニット
１１０…出力歯車（動力伝達歯車）
２００…ブロワユニット（送風手段）
Ｙ…微小開度位置
ＴＷ…冷却水温
【図１】
2008037140.tif 000003
【図２】
2008037140.tif 000004
【図３】
2008037140.tif 000005
【図４】
2008037140.tif 000006
【図５】
2008037140.tif 000007
【図６】
2008037140.tif 000008
【図７】
2008037140.tif 000009
【図８】
2008037140.tif 000010
【図９】
2008037140.tif 000011
【図１０】
2008037140.tif 000012
【図１１】
2008037140.tif 000013
【図１２】
2008037140.tif 000014